【事件の表示】
　特願２００１−　６１５８１「画像表示装置、画像処理方法およびプログラム」拒絶査定不服審判事件〔平成１４年　９月１３日出願公開、特開２００２−２６２３０４〕について、次のとおり審決する。
【結　論】
　本件審判の請求は、成り立たない。
【理　由】
　
第一　経緯
 　 
１．手続 
　本願は、平成１３年３月６日の出願である。  
　本件は、本願についてされた拒絶査定（平成１７年６月２７日付け）を不服とする平成１７年７月２８日の審判の請求であり、請求後、手続補正書（平成１７年８月２５日付け、明細書及び図面について請求の日から３０日以内にする補正）が提出された。 
 　 
２．査定  
　原査定の理由は、概略、下記のとおりである。  
　　　　　記（査定の理由）  
　請求項１から請求項１０までに係る発明は、下記刊行物に記載された各発明に基づいて当業者が容易に発明をすることができたものであるから、特許法第２９条第２項の規定により、特許を受けることができない。  
　　　　　記　　  
　刊行物１：特開平９−２７１０３６号公報  
　刊行物２：特開平８−６５７０１号公報 
　刊行物３：特開平１０−１９８７９３号公報 
　刊行物４：特開平４−１３６９２５号公報 
 　 
第二　補正の適否
 　 
　《結論》 
　平成１７年８月２５日付けの補正を認める。 
　
　《理由》  
１．補正の内容  
　本件補正は、次のような補正事項を含むものである。
　（ａ）補正事項１
　請求項２（補正前）から請求項８（補正前）までを削除する。
　（ｂ）補正事項２
　請求項９（補正前）および請求項１０（補正前）の項番号を繰り上げ、それぞれ、請求項２（補正後）および請求項３（補正後）とする。
 　  
２．補正の適合性  
　上記各補正事項は、特許請求の範囲についてする補正であるところ、請求項の削除を目的とするものである。
　本件補正は、特許法第１７条の２第３項の規定に適合する。
　
第三　本願発明
　
　本願の請求項１から請求項３までに係る発明は、本願明細書及び図面（平成１６年１２月２４日付け及び平成１７年８月２５日付けの各手続補正書により補正された明細書及び図面）の記載からみて、それぞれ、その特許請求の範囲の請求項１から請求項３までに記載したとおりの「画像表示装置、画像処理方法およびプログラム」であると認められるところ、そのうち、請求項１に係る発明（以下、本願発明ともいう）は、下記のとおりのものである。
　　　　　記（請求項１に係る発明）
　入力される画像データに対して所望の画像処理を行って画像を表示する画像表示装置であって、
　当該画像表示装置の特性値に基づき、前記画像表示装置の色特性を基準色特性に適合させるための３次元色補正テーブルを参照して、前記入力される画像データに対して所望の色補正を施す第１色補正手段と、
　外部環境に応じた色補正を行なうための１次元色補正テーブルを参照して、前記入力される画像データに対して所望の色補正を、前記第１色補正手段による色補正の後で施す第２色補正手段と、
　を備える画像表示装置。
　
第四　当審の判断
　
１．刊行物の記載  
（１）刊行物１（特開平９−２７１０３６号公報） 
　原査定の拒絶の理由に引用された刊行物１には、「カラー画像表示方法及び装置」（発明の名称）に関し、図面と共に次に掲げる事項が記載されている。
　
　《発明の属する技術分野》
　　「本発明は、カラー画像表示装置に関し、特に、表示デバイスに依存しない色表示を行う技術に関する。」（段落0001）
　
　《発明が解決しようとする課題》
　　「上記公報に記載の構成においては、ある特定の表示デバイスでしか、正確な色補正ができず、別異の表示デバイスに対しては正確な色補正が行えないという問題点を有している。」（段落0008）
　　「従って、本発明は、上記事情に鑑みて為されたものであって、その目的は、表示デバイスに依存しない色表示を行うことを可能としたカラー画像表示方法及び装置を提供することにある。」（段落0011）
　
　《実施の形態１》
　（ａ）全体構成
　　「図１を参照して、本発明の第１の実施の形態は、画像データが入力されると同時に入力色特性データを取得する入力色特性情報取得部１と、得られた入力色特性データを保持する入力色特性データ記憶部３と、ＣＲＴなどの画像表示デバイス６と、画像表示デバイス６の色特性を保持する表示色特性データ記憶部５と、入力色特性データと表示色特性データとから色変換テーブルを生成する色変換テーブル生成手段４と、実際に画像データを色変換する色変換手段２と、から構成されている。
　色変換テーブル生成手段４は、さらに、表示デバイス６に対応した色変換方法を選択する色変換方式選択手段７と、選択された色変換方法に応じた変換テーブルを生成する複数種テーブル生成部８と、から構成されている。
　本発明の第１の実施の形態においては、画像信号の入力が検知されると、入力色特性情報取得部１が自動的に入力画像の色情報である入力色特性データを取得し、入力色特性データ記憶部３に保存する。入力色情報データを取得した後、この入力色情報データと、表示色特性データ記憶部５に格納された表示デバイスのデータを基に、色変換テーブル生成手段４によって、色変換テーブルを生成する。」（段落0019〜段落0021）
　（ｂ）入力色特性データ、表示色特性データ
　　「入力色特性データの項目としては、入力信号の色座標系（デバイス色空間）、ＲＧＢ蛍光体の色度座標、白色の色度座標、中間色座標系への変換テーブル情報がある。」（段落0023、表１）
　　「また、表示色特性データの例としては、表示信号の色座標系（デバイス色空間）、ＲＧＢ蛍光体の色度座標、白色の色度座標、中間色座標系からデバイス色空間への変換テーブル情報がある。」（段落0027、表２）
　
　《実施の形態２》
　（ａ）全体構成
　　「本発明に係るカラーディスプレイ装置の第２の実施の形態は、図１に示した色変換テーブル生成手段４に替えて、色変換テーブル生成手段３０を備え、色変換手段２に替えて色変換手段１０を備えたものである（図２及び図３参照）。
　画像信号の入力が検知されると、まず入力色特性情報取得部１によって入力色特性データを取得し、入力色特性データ記憶部３に保存する（図１参照）。入力色情報データを取得した後、入力色情報データと、表示色特性データ記憶部５のデータを元に、色変換テーブル生成手段３０によって色変換テーブルを生成する。」（段落0036、段落0037）
　（ｂ）色変換手段１０
　　「図２を参照して、色変換手段１０は、色変換スイッチ手段１１と、図中破線で示すテーブル記憶部２４と、複数のテーブル変換手段２３と、からなる。このテーブル記憶部２４は、３次元テーブル記憶部１５と、１次元テーブル記憶部１７と、マトリクス混合テーブル記憶部２２と、からなる。複数のテーブル変換手段２３は、３次元ＬＵＴ変換手段１２と、単純ＬＵＴ変換手段１６と、マトリクス混合変換手段１８と、からなる。」（段落0041、段落0042）
　　「色変換手段１０においては、まず、色変換テーブル生成手段３０からのテーブルデータがテーブル記憶部２４に保持される。３次元テーブルは３次元テーブル記憶部１５に、１次元テーブルは１次元テーブル記憶部１７に、マトリクス混合テーブルはマトリクス混合テーブル記憶部２２にそれぞれ保持される。そして色変換方式フラグが、色変換スイッチ手段１１に送られて、該当する変換手段を選択する。
　画像データが入力されると、選択された色変換方式に基づいて、３次元ＬＵＴ変換手段１２、単純ＬＵＴ変換手段１６、マトリクス混合変換手段１８のいずれかによって色変換を行う。色変換された画像データは、その後表示デバイス６に送られて表示される。」（段落0044、段落0045）
　（ｂ１）３次元ＬＵＴ変換手段１２
　　「３次元ＬＵＴ変換手段１２は、３次元テーブル６０に示すようなテーブルデータを基に色変換を行う。３次元テーブル６０には、入力ＲＧＢ画素値のレンジをＮ分割（Ｎ＝２以上の整数）した参照点６１のインデックスと、参照点６１の画素値を変換した画素値が格納されている。
　ある入力ＲＧＢデータが入力されると、その点は、必ず参照点６１で囲まれた直方体の中に含まれることになる。まず、テーブルサーチ手段１３によって、入力ＲＧＢデータがどの直方体（審決注：８つの参照点（Ｐ１〜Ｐ８））に含まれるかを調べる。（中略）
　そして、各参照点の変更後の値を、３次元テーブル６０から参照（検索）する。テーブルサーチ手段１３は、上記した８つの参照点を求め、これらの変換値を３次元テーブル６０から求める処理を行うものである。
　次に、データ補間手段１４を用いて、入力ＲＧＢデータの直方体内での位置に応じて各参照点の変更後の値を補間し、入力ＲＧＢデータの変更後の値を求める。（中略）
　３次元ＬＵＴ変換手段１２は、３次元テーブル記憶部１５に保持されている３次元テーブルデータを基に、上記した変換処理を行う。」（段落0048〜段落0061）
　（ｂ２）単純ＬＵＴ変換手段１６
　　「単純ＬＵＴ変換手段１６は、１次元テーブル５０に示すデータを元に変換を行う。入力がＲＧＢ値の場合には、Ｒ、Ｇ、Ｂそれぞれに、１次元テーブル５０が用意される。
　１次元テーブル５０では、図６（Ｂ）に示すように、入力と出力が１対１に対応して格納されるため、変換後のデータはテーブルを参照するだけでよく、色変換を非常に高速に行うことが出来る。１次元テーブルの変換特性（入力ＲＧＢ値に対する出力ＲＧＢ値）の一例を、図６に、１次元テーブルの特性５１として示す。単純ＬＵＴ変換手段１６は、１次元テーブル記憶部１７に保持された１次元テーブルデータを用いてこのようなテーブル参照による変換処理を行う。」（段落0062、段落0063）
　（ｂ３）マトリクス混合変換手段１８
　　「マトリクス混合変換手段１８は、逆γ補正手段１９と、マトリクス演算手段２０と、γ補正手段２１と、からなる。
　マトリクス混合変換手段１８は、マトリクス混合テーブル記憶部２２から、マトリクス混合データを参照して色変換する。マトリクス混合データには、表３に示すように、逆γテーブル、３×３のマトリクス係数、γテーブルの３つの項目がある。」（段落0064、段落0065）
　（ｃ）色変換テーブル生成手段３０
　　「図３を参照して、色変換テーブル生成手段３０には、まず、図１に示した入力色特性データ記憶部３から入力色特性データが入力され、表示色特性データ記憶部５から表示色特性データが入力される。これらの色特性データは、主として上記表１に示した項目からなっている。
　入力色特性データと表示色特性データとは、色変換方式選択手段３１に入力され、いずれの種類の変換手段を用いるかを決定する。」（段落0072、段落0073）
　　「その際、３次元ＬＵＴ変換手段１２が選択されると、色変換方式選択手段３１は、３次元テーブル生成部３２にて、３次元テーブルを生成し、色変換手段１０内の３次元テーブル記憶部１５に出力する。
　また、単純ＬＵＴ変換手段１６が選択されると、色変換方式選択手段３１は、１次元テーブル生成部３３にて、１次元テーブルを生成し、色変換手段１０内の１次元テーブル記憶部１７に出力する。
　そして、マトリクス混合変換手段１８が選択されると、色変換方式選択手段３１は、マトリクス混合テーブル生成部３４にて、マトリクス混合テーブルを生成し、色変換手段１０内のマトリクス混合テーブル記憶部２２に出力する。」（段落0075〜段落0077）
　（ｃ１）３次元ＬＵＴ変換手段１２のテーブル
　　「３次元ＬＵＴ変換手段１２は、他の２つ（すなわち単純ＬＵＴ変換手段１６、マトリクス混合変換手段１８）に比べて、汎用的に用いることができる。入力色特性データに中間色空間へのテーブルが含まれており、且つ表示色特性データに中間色空間から表示色空間へのテーブルが含まれていれば、入力から表示色空間への３次元テーブルデータを生成することが可能とされ、このテーブルを用いて３次元ＬＵＴ変換を行うことにより、線形、非線形を問わず、色変換が可能である。」（段落0078）
　　「入力色特性データ内のデバイスから中間色空間への変換テーブルをＤ１ｔｏＭ、表示色特性データ内の中間からデバイス色空間への変換テーブルをＭｔｏＤ２とする。Ｄ１ｔｏＭとＭｔｏＤ２は共に、上記した３次元テーブルデータの形式を持つものとする。
　入力画像の画素値Ｘが表示デバイス色空間でいかなるＲＧＢ値に変換されるかを求めるには、Ｘを、まずＤ１ｔｏＭを用いて３次元ＬＵＴ変換し、その結果をさらにＭｔｏＤ２で３次元ＬＵＴ変換すればよい。」
　このようにして、Ｄ１ｔｏＭの３次元テーブルの全ての参照点を変換すれば、入力デバイス色空間から出力デバイス色空間への３次元テーブルＤ１ｔｏＤ２を作成することができる。３次元テーブル生成部３２は、上記の処理を行うものである。」（段落0080〜段落0082）
　（ｃ２）単純ＬＵＴ変換手段１６のテーブル
　　「単純ＬＵＴ変換手段１６（図２参照）は、入力と表示の色空間が等しく、γ特性のみが異なる場合などに使用することができる。１次元テーブル生成部３３では、Ｒ、Ｇ、Ｂ、それぞれ１次元テーブルデータを生成する。」（段落0083）
　　「１次元テーブル生成部３３は、例えば、このように、入力色特性データのγ特性の逆変換テーブルと、表示色特性データのγ特性テーブルと、を合成した１次元テーブルを生成するものである。」（段落0085）
　（ｃ３）マトリクス混合変換手段１８のテーブル
　　「マトリクス混合変換手段１８（図２参照）は、入力と表示の色空間の補正が、γ補正とマトリクス変換によって可能な場合に用いる。
　マトリクス混合テーブル生成部３４では、逆γ補正手段１９とマトリクス演算手段２０とγ補正手段２１に用いるデータをそれぞれ生成し、これらを合わせてマトリクス混合テーブルとして出力する。」（段落0086、段落0087）
　　「マトリクス混合テーブル生成部３４は、入力色特性データのγ特性テーブルの逆変換テーブルと、上記ＭＢ−１・ＭＡのマトリクスデータと、表示色特性データ内のγ特性テーブルと、を合わせたものを作成し、色変換手段１０に出力する装置である。」（段落0087）
　
（２）刊行物２（特開平８−６５７０１号公報）
　同じく引用された刊行物２には、「映像表示機器の映像自動補正装置とその方法」（発明の名称）に関し、図面と共に次に掲げる事項が記載されている。
　
　〈産業上の利用分野〉
　　「本発明は、映像表示機器、例えばＴＶ受像機等で周囲照明または自然光のような外部環境に対応して画面に表示される映像のカラー温度、色相、カラー濃度、明暗、輝度を自動的に補正し、最適の映像を具現する映像表示機器の映像自動補正装置とその方法に関する。」（段落0001）
　〈従来の技術〉
　　「肌色補正回路は、受信映像信号を分析して、人の肌色であると判断されると、予め定められたカラー（肌色）で出力する技術であって、外部光状態とは関係なく、受信される映像信号のカラーが肌色であると判断されると、直ちに所定の肌色を出力するので肌色の多様性に適切に対応できず、肌色と類似のカラーに対しても同様に作動するため、カラー再現上の誤謬が発生することがあるので、自然色の再現に制限的要素が多い問題点がある。」（段落0003）
　〈発明が解決しようとする課題〉
　　「本発明は上記の問題点を軽決しようとするもので、映像表示機器外部の自然光または照明のカラーを感知して外部環境を判断し、画面に表示する映像を上記外部環境に対応して補正することにより最適の映像を具現し、自然色再現の忠実性を向上させようとする映像表示機器の映像自動補正装置と方法を提供することを目的とする。」（段落0012）
　〈課題を解決するための手段〉
　　「本発明の他の特徴によれば、機器外部の照明環境を感知し、各カラー成分を分離して電気的信号に出力する工程；上記カラーセンシング工程により出力されるカラー成分信号をデジタル化する工程；上記デジタル変換工程で変換された数値から現在の機器外部環境を判断する工程；上記工程で判断された外部環境に該当する映像補正データを検索する工程；上記映像補正データにより元の映像信号を補正する工程から構成される映像表示機器の自動映像補正方法が提供される。」（段落0014）
　〈実施例〉
　　「本実施例は、カラーセンサーの量子化、即ち、デジタル化したＲ、Ｇ、Ｂ出力の和、またはＲとＢの大きさと相関関係を判定して映像データを補正する方法に関する。
　カラーセンサーの量子化されたＲ、Ｇ、Ｂ出力値（６ビットである場合０〜６４）の和（Ｓ）は外部照明の照度と相関関係があり、この数値（Ｓ）の大きさから先ず映像補正データを決定、映像データを補正し、次に再び表３でのようにＢ−ＲまたはＲ−Ｂの数値でカラー温度（White Balance）を補正する方法である。」（段落0049、段落0050）
　　「センサーからＡ／Ｄ量子化出力値を読み取り後、ＲとＢの差異値、即ちＲ−ＢあるいはＢ−Ｒの数値を演算の後、定義された外部環境のＧおよびＲとＢの差異値と比較してソフトウェア的に作ったＬＵＴ（Lookup Table）で輝度、カラー濃度、明暗、鮮明度、カラー温度（White Balance）等のカラー情報を補償する。」（段落0056）
　〈発明の効果〉
　　「以上の通り、本発明は映像表示機器の外部照明環境による明暗、輝度、カラー濃度、カラー温度等の映像データ値を適切な工程別に変換させて測定し、その各データによりデータベースを構築し、マイコムのメモリに記憶させ、これを利用して実際の外部環境を判断して映像信号（色相、カラー濃度、明暗、輝度、カラー温度等）を自動補正するので忠実な自然色再現を行うことができ、これにより高画質の映像表現を具現することができる。」（段落0058）
　
２．対比（対応関係）  
　本願発明と刊行物１に記載の発明とを対比すると、以下の対応が認められる。
　（ａ）画像表示装置　　
　刊行物１の「カラー画像表示装置」は、色変換手段１０（２）と表示デバイス６などから構成され、入力される画像データ（Ｒ、Ｇ、Ｂ）を色変換し、色変換された画像データを表示する。
　刊行物１の「カラー画像表示装置」は、本願発明にいう「入力される画像データに対して所望の画像処理を行って画像を表示する画像表示装置（であって、）」と変わりがない。
　（ｂ）３次元色補正テーブル
　刊行物１（第２の実施の形態）では、入力色特性データ（表１、入力色特性情報取得部１によって取得し入力色特性データ記憶部３に保存）と、表示色特性データ（表２、表示色特性データ記憶部５に保持）を元に、色変換テーブル生成手段３０によっていずれの種類の変換手段を用いるかを決定するところ、その際、３次元ＬＵＴ変換手段１２が選択されると、色変換方式選択手段３１は、３次元テーブル生成部３２にて、３次元色変換テーブルを生成する。
　このとき、３次元色変換テーブルは表示色特性データを元に生成されるものであり、表示色特性データとして、「表示信号の色座標系（デバイス色空間）、ＲＧＢ蛍光体の色度座標、白色の色度座標、中間色座標系からデバイス色空間への変換テーブル情報」（表２、段落0027）が例示されている。
　刊行物１の「３次元色変換テーブル」は、本願発明にいう「画像表示装置の色特性を基準色特性に適合させるための３次元色補正テーブル（を参照して）」に相当する。
　（ｃ）第１色補正手段
　刊行物１では、３次元ＬＵＴ変換手段１２は、３次元色変換データを基に色変換処理を行うところ、３次元色変換テーブルが表示色特性データを元に生成されるものであることは前記のとおりである。
　刊行物１の「３次元ＬＵＴ変換手段１２」は、本願発明にいう「当該画像表示装置の特性値に基づき、画像表示装置の色特性を基準色特性に適合させるための３次元色補正テーブルを参照して、入力される画像データに対して所望の色補正を施す第１色補正手段」に相当する。
　（ｄ）第２色補正手段
　本願発明は「外部環境に応じた色補正を行なうための１次元色補正テーブルを参照して、入力される画像データに対して所望の色補正を、第１色補正手段による色補正の後で施す第２色補正手段」を有するところ、刊行物１には、このような「第２色補正手段」については記載がない。
　
３．一致点・相違点
　本願発明と刊行物１に記載の発明との一致点および相違点は下記のとおりである。
　　　　　　記（一致点）
　入力される画像データに対して所望の画像処理を行って画像を表示する画像表示装置であって、
　当該画像表示装置の特性値に基づき、前記画像表示装置の色特性を基準色特性に適合させるための３次元色補正テーブルを参照して、前記入力される画像データに対して所望の色補正を施す第１色補正手段と、
　を備える画像表示装置。　　
　　　　　　記（相違点）
　本願発明では、「外部環境に応じた色補正を行なうための１次元色補正テーブルを参照して、入力される画像データに対して所望の色補正を、第１色補正手段による色補正の後で施す第２色補正手段」を有するのに対して、刊行物１には、このような「第２色補正手段」につき記載がない点。
　
４．相違点等の判断
　〈相違点について〉
　（ａ）周知の事項
　外部環境が変化すると表示画像の色域や色温度が変化し、カラー画像表示装置の色再現性が劣化すること、かかる劣化を補正する必要があること、以上は周知の事項である。これには、査定で引用された刊行物２のほか、当審で引用する「特開平４−２４３３９３号公報」、「特開平１１−６９３７０号公報」、「特開平１１−２１５３８６号公報」が参照される。
　（ｂ）刊行物２
　（ｂ１）刊行物２には、外部の自然光・照明のカラーを感知して外部環境を判断し、表示する映像を外部環境に対応して補正することにより最適の映像を具現し、自然色再現の忠実性を向上させる映像自動補正装置が記載されている。そして、その実施例として、カラーセンサーの出力値から演算した差異値「Ｒ−Ｂ」を、定義された外部環境の差異値「ＧおよびＲとＢの差異値」と比較してＬＵＴをソフトウェア的に作り、このＬＵＴで、輝度、カラー濃度、明暗、鮮明度、カラー温度等のカラー情報を補償することも記載されている。ここで、上記ＬＵＴの形態として「１次元テーブル」を採用することはごく普通のことである（これには、刊行物１の段落0016が参照される）。
　（ｂ２）また、刊行物２の外部環境による色補正は、「肌色補正回路は・・・外部光状態とは関係なく・・・映像信号のカラーが肌色であると判断されると、直ちに所定の色（審決注：予め定められた肌色で）を出力するので肌色の多様性に適切に対応できず・・・カラー再現上の誤謬が発生する」（段落0003）との記載によれば、映像信号の再生過程の最終段階である表示装置（その周囲環境）における問題点に対処する補正であると言えるから、刊行物２の外部環境による色補正は、映像信号の再生過程の最終段階（同再生過程中の他の色補正の後）で行うものであると理解することができる。
　（ｂ３）以上によれば、刊行物２には、本願発明にいう「外部環境に応じた色補正を行なうための１次元色補正テーブルを参照して、入力される画像データに対して所望の色補正を施す第２色補正手段」が開示されていると言え、加えて、本願発明のように他の色補正手段（第１色補正手段）と協働するときは、「第１色補正手段による色補正の後で施す」ことも開示されていると言える。
　（ｃ）刊行物１
　刊行物１の色補正が「蛍光体色度」、「基準白色色度」などに基づいていることは（表２、段落0027）、該色補正が色域の変化に対処する補正であることを示している。刊行物１には、その原因はともかく、色域の変化へ対応する思想が開示されていると言うべきである。
　また、画像表示装置において、入力画像データに対して色補正手段を複数設けて色補正を施し適切な色再現を図ることは常套であり、刊行物３のほか、刊行物１にもこのような常套の事項が開示されている。すなわち、刊行物１のマトリクス混合変換手段１８において、マトリクス演算手段２０とγ補正手段２１（１次元テーブルデータ、段落0096）とからなる構成は、上述した色補正手段を複数設けて色補正を施す構成であると言うことができる。
　（ｄ）小括
　そうすると、上記相違点にかかる構成は、刊行物１において、上記周知の事項（色再現性の劣化）の下、その色変換手段１０の出力信号に、刊行物２に記載の処理（外部環境に応じた色補正）を施すことにより、当業者が適宜になし得ることである。
　
　〈効果等について〉  
　本願発明の効果も、刊行物１および刊行物２の記載ならびに周知技術（上記周知の事項、上記普通のこと、上記常套の事項）から予測することができる程度のものにすぎない。  
　
５．まとめ
　以上、本願発明は、刊行物１および刊行物２に記載された発明ならびに周知技術に基づいて当業者が容易に発明をすることができたものである。
  
第五　むすび
　
　以上、本願の請求項１に係る発明は、刊行物１および刊行物２に記載された発明ならびに周知技術に基づいて当業者が容易に発明をすることができたものであるから、特許法第２９条第２項の規定により特許を受けることができない。
　したがって、残る請求項２および請求項３に係る発明について特に検討するまでもなく、本願は拒絶をすべきものである。 
　よって、結論のとおり審決する。